(57)【要約】【課題】スピーカ装置の構造に関するものであり、スピーカ背面への音漏れを防止すると共に、低音再生能力の調整が可能であり、スピーカボックスを排除した構成を実現するものである。【解決手段】本発明のスピーカ装置は、フレーム１１の内部空間に、少なくとも一つ以上の音響管１２を配設し、この音響管１２の先端部を前記フレーム１１の側面より上方に突出させると共に、前記フレーム１１を前記音響管の挿通個所以外は隙間や穴部を排除した形状として、振動板６の後方を音響管１２部分を除き、前記内部空間を略密閉空間としたものである。この構成によって、スピーカの後方への音漏れを防止すると共に、音響管長を適宜設定することで、所定の低音の再生能力の調整も行なえるものである。【選択図】図１
2010068171.tif 000002
【特許請求の範囲】
【請求項１】
開口端を有する有底状のフレームと、このフレーム内の底部に固定された磁気回路と、この磁気回路の磁気空隙内に配挿されたボイスコイルボビンと、このボイスコイルボビンに巻回されたボイスコイルと、前記ボイスコイルボビンを前記磁気空隙内に保持する支持部と、前記磁気回路と前記ボイスコイルから発生する駆動力によって振動する前記ボイスコイルボビンと接合された振動板と、この振動板の外周部に設けられるとともに、前記フレームの開口端側で接合されたエッジ部とからなるスピーカ装置において、前記振動板と前記エッジ部によって形成された密閉された前記フレームの内部空間に、少なくとも一つ以上の音響管を配設し、この音響管の先端部を前記フレームより突出させてその放音方向を前記振動板の振動方向と同方向としたスピーカ装置。
【請求項２】
エッジ部の外周部と前記フレームの接合部分に音響管の先端部の形状と同形状のスリットを設け、前記音響管の先端部をこのスリットと接合した、請求項１に記載のスピーカ装置。
【請求項３】
振動板が平板状振動板である請求項１または請求項２に記載のスピーカ装置。
【請求項４】
音響管の先端を通気性を有するモールで覆った請求項３に記載のスピーカ装置。
【発明の詳細な説明】
【技術分野】
【０００１】
本発明は、特に住宅やマンション、オフィスビル等の建築材料で構成された居住空間に使用されるスピーカ装置に関するものである。
【背景技術】
【０００２】
従来の住宅やオフィスの天井や壁面内に装着されるスピーカ装置を図６（ａ）〜（ｅ）により説明する。図６（ａ）はスピーカ装置本体であるスピーカの上方面からの斜視図であり、図６（ｂ）は同上面図、図６（ｃ）は同（ｂ）のＡ−Ａ’断面図、図６（ｄ）は同（ｂ）のＢ−Ｂ’断面図、図６（ｅ）は前記スピーカが装着されたスピーカ装置の説明図である。
【０００３】
同図によると、１は鉄鋼材等からなる複数の穴部を有するフレームであり、このフレーム１には、下部プレート２ａと環状マグネット２ｂと上部プレート２ｃを接着結合した磁気回路２が接合されている。
【０００４】
また、前記磁気回路２の下部プレート２ａと上部プレート２ｃの内周側面間には磁気空隙２ｆが設けられ、下部にボイスコイル４を巻回した円筒形のボイスコイルボビン３が配挿されている。
【０００５】
なお、５は支持部であり、内周を前記ボイスコイルボビン３に接着結合し、外周を前記フレーム１に接着結合して、前記ボイスコイルボビン３を前記磁気空隙２ｆの中心に保持している。
【０００６】
また、前記ボイスコイルボビン３上部には振動板６が接合されており、この振動板６の中央部（前記円筒状のボイスコイルボビン３の上部）には、防塵のためのダストキャップ８が接合されている。
【０００７】
更に、前記振動板６の外周にはエッジ部７が接合されており、このエッジ部７の前記振動板６と接合されていない側は、前記フレーム１と接合されている。
【０００８】
なお、９は前記フレーム１に一体形成された空洞のポートである。
【０００９】
以上のように構成されたスピーカ１０はスピーカボックスＡに装着されて、スピーカ装置が構成されている。
【００１０】
スピーカ１０を装着したスピーカボックスＡは、前記スピーカ１０の装着部分を除き全て遮蔽されており、前記スピーカ１０を装着することで、ポート９を除き、内外部は遮蔽されてスピーカ装置が形成される。
【００１１】
なお、この出願の発明に関する先行技術文献情報としては、例えば、特許文献１が知られている。
【特許文献１】特開昭５８−３３３９３号公報
【発明の開示】
【発明が解決しようとする課題】
【００１２】
しかしながら、上記従来のスピーカ装置では、住宅やオフィスの天井や壁面に使用した場合、スピーカボックスＡを用いることで、隣室や階上への音漏れは防止できるものの、スピーカボックス１１のコストが高く、システム全体のサイズも増すという課題を有するものとなっていた。
【００１３】
なお、スピーカボックスＡを用いない場合は、音漏れ防止を行なえないものとなると共に、スピーカ１０の背面方向の音は逆相となるため、波長の長い低周波領域においては回折現象によって、正相と逆相の音とが打ち消し合うことによる音の劣化が生じるという課題を有している。
【００１４】
本発明は上記従来の課題を解決するもので、スピーカボックスＡを用いることなく、逆相の音による再生音の劣化を防ぐと共に、低音の再生能力の調整を可能としたスピーカを提供することを目的とするものである。
【課題を解決するための手段】
【００１５】
上記課題を解決するために本発明のスピーカ装置は、開口端を有する有底状のフレームと、この開口端を振動板と前記エッジ部によって接合して前記フレームの内部空間を密閉したものとしたスピーカ装置において、この密閉空間内に音響管を配設し、この音響管の先端部を前記フレームより突出させてその放音方向を前記振動板の振動方向と同方向としたものであり、前記音響管によって、前記振動板の背面方向の音の位相を１８０°反転させると共に、その放音方向をスピーカの放音方向と同方向として音圧の増強と他方への音漏れの防止を図り、更に、音響管の長さを適宜設定することで、所定の低音域の増強を図ることができ、小形で安価なスピーカ装置として提供できるものである。
【発明の効果】
【００１６】
本発明のスピーカ装置は、密閉構造のフレーム内部に音響管を設けることで、スピーカボックスを用いることなく逆相の音を閉じ込めることが可能となり、コスト削減とシステム全体のサイズを抑制できるという効果を奏すると共に、前記フレームの内容積と、前記音響管の断面積と長さを変更することで、容易にシステムの低音再生の調整が可能になるという効果も奏するものである。
【発明を実施するための最良の形態】
【００１７】
以下本発明の一実施の形態のスピーカ装置を図１〜図５（ｂ）により説明する。
【００１８】
なお、説明にあたっては、従来技術と同一部分には同一番号を付与し、説明を省略して説明する。
【００１９】
（実施の形態１）
以下、実施の形態１を用いて、本発明の特に請求項１に記載の発明について説明する。
【００２０】
図１は本発明の実施の形態１におけるスピーカ装置の構造断面図、図２は、同要部である音響管の斜視図である。
【００２１】
同図によると、１１は上方が開口となった中央に磁気回路２を装着する穴を設けた有底状のフレームであり、このフレーム１１には後述する音響管１２を挿通する孔部１１ａが側面に設けられている。前記フレーム１１には前記孔部１１ａと底面中央の穴を除き、他の孔部やこれに類する加工は施されていない。
【００２２】
従って、前記フレーム１１の開口部を覆う様に従来技術と同様に、磁気回路２をフレーム１１に接着結合し、振動板６の内周をボイスコイルボビン３に接着結合し、外周をエッジ７を介して前記フレーム１１の開口端部に接着結合し、前記ボイスコイルボビン３の円筒の上方開口部を覆うようにダストキャップ８の外周と前記振動板６を接着結合することで、前記振動板６と前記フレーム１１で形成された空間は前記孔部１１ａを除き、略密閉状態が形成されることになる。
【００２３】
なお、前記フレーム１１の孔部１１ａを挿通した音響管１２は前記振動板６の運動方向（上下方向）に曲げられていて、前記振動板５の背面側の発音は、前記フレーム１１の外周の隙間から上方に放音されることになる。
【００２４】
この音響管１２は金属又は樹脂で形成された矩形筒であり、フレーム１１の内部空間に少なくとも一つ以上配設されている。
【００２５】
なお、本実施の形態において、前記音響管１２は、前記フレーム１１上に確実に固定されており、前記振動板６の振動によって、振動を始めとした異常動作を起こすことは無い。
【００２６】
かかる構成によれば、前記フレーム１１には前記音響管１２の先端部を突出させる穴以外の隙間・継ぎ目・穴部が設けられていないため、前記振動板６が駆動（上下振動）した際に、前記音響管１２からの放音は上方に向かい、スピーカ背面への音漏れを防ぐことが可能となる。
【００２７】
また、前記音響管１２の断面積と長さを適切に選択し、ヘルムホルツ共鳴の原理を利用して前記音響管１２内の共振音を用い、低音再生能力の調整が可能となる。
【００２８】
なお、音響管１２の形状としては、必ずしも前述の矩形筒である必要はなく、円筒を始めとした他の形状であっても同様の効果を得ることが可能である。
【００２９】
（実施の形態２）
実施の形態２は、前述の実施の形態１と相違する他の実施の形態であり、特に請求項２に記載のスピーカ装置の発明について説明するものであり、図３（ａ）は、前記他の実施の形態のスピーカ装置の上面図、図３（ｂ）は、図３（ａ）のＡ−Ａ’における構造断面図であり、図４は同展開例の構造断面図である。
【００３０】
同図によると、実施の形態１と相違する点は、エッジ部１７の外周部およびフレーム２１の外周部に、音響管１２の先端部形状に合わせたエッジ部のスリット１７ａとフレームのスリット２１ａを夫々設け、前記音響管１２の先端がこれらのスリット１７ａおよび２１ａと接合した点である。
【００３１】
この構成により、前記音響管１２を複数の箇所で支持することで、前記音響管１２の安定感が増すと共に、前記音響管１２の先端が、前記フレーム２１の外周部より外方へ突出することを避けられ、スピーカの前面からの外観に違和感がないものとしている。
【００３２】
図４は本実施の形態のスピーカ装置の展開例であり、振動板を平板状の振動板６ａとしたものである。振動板６ａを平板状とすることで、音響管１２を前記フレーム２１から外方へ突出させない本実施形態はより違和感のないものとなる。
【００３３】
なお、更に、本実施の形態および展開例のスピーカ装置において、前記音響管１２の先端または前記スリット１７ａまたはスリット２１ａに、前記振動板６または６ａと同様の色、もしくは模様を有する通気性のある布、もしくはシート部材を接合することで、スピーカ装置自体や前記スリット部分を目立たなくすることができ、居住空間のインテリア性を保つことが可能となる。
【００３４】
（実施の形態３）
実施の形態３は、実施の形態１および実施の形態２とは相違する他の実施の形態のスピーカ装置を説明するものであり、特に請求項３と請求項４に記載の発明について説明するものであり、図５（ａ）は本発明の前記他の実施の形態におけるスピーカ装置の構造断面図、図５（ｂ）は、同展開例のスピーカ装置の構造断面図である。
【００３５】
同図により、実施の形態１〜実施の形態２と相違する点を説明すると、本実施の形態がエッジ部７を有さず、前記フレーム２１ｂの外周部と、平板状の振動板６ｂを直接接合した点にある。
【００３６】
この構成により、スピーカをより目立たなくすることができ、スピーカを天井や壁へ設置した際に、居住空間の外観を損ねることが無い。
【００３７】
なお、本実施の形態においては内磁型の磁気回路２ｄを用いている。
【００３８】
また、図５（ｂ）に示す展開例のスピーカ装置のように、音響管１２の先端に、布等の通気性素材で構成されたモール２３を取り付けることで、隣接する天井材もしくは壁材３０の端面を隠蔽できると共に、スピーカ装置をより目立たなくすることができ、スピーカ装置を天井や壁へ設置した際に、スピーカ装置を壁や天井の一部として際立たせることのない様にして居住空間の外観を統一することも可能となる。
【産業上の利用可能性】
【００３９】
本発明にかかるスピーカ装置は、密閉構造を有するフレームの内部空間に、音響管を配設することで、スピーカボックスを用いることなく、振動板の逆相の音による音の劣化と、スピーカ背面への音漏れを防止し、また低音の再生能力の調整を可能としたことから、スピーカボックスにかかるコストを削減することが可能であり、住宅やマンション、オフィスビル等の建築材料で構成された居住空間に使用されるスピーカ、もしくはテレビ等のＡＶ機器に搭載される音響機器としても有用となるものである。
【図面の簡単な説明】
【００４０】
【図１】本発明の一実施の形態のスピーカ装置の構造断面図
【図２】同要部である音響管の斜視図
【図３】（ａ）本発明の実施の形態２におけるスピーカの平面図、（ｂ）図３（ａ）のＡ−Ａ’における構造断面図
【図４】同実施の形態における他のスピーカの構造断面図
【図５】（ａ）本発明の実施の形態３におけるスピーカの構造断面図、（ｂ）同実施の形態における他のスピーカの構造断面図
【図６】（ａ）従来のスピーカの斜視図、（ｂ）同上面図、（ｃ）同図６（ｂ）のＡ−Ａ’における構造断面図、（ｄ）同図６（ｂ）のＢ−Ｂ’における構造断面図、（ｅ）従来のスピーカ装置の斜視図
【符号の説明】
【００４１】
２  磁気回路
３  ボイスコイルボビン
４  ボイスコイル
５  支持部
６  振動板
７，１７  エッジ部
１１，２１，２１ｂ  フレーム
１２  音響管
１７ａ，２１ａ  スリット
【図１】
2010068171.tif 000003
【図２】
2010068171.tif 000004
【図３】
2010068171.tif 000005
【図４】
2010068171.tif 000006
【図５】
2010068171.tif 000007
【図６】
2010068171.tif 000008